(57)【要約】【課題】デザイン自由度を確保しながら、操作しやすい高精度なカメラを有するコンパクトな折畳み式携帯通信機器を提供する。【解決手段】液晶表示部２を有する第１の筐体３と、操作部４を有する第２の筐体５と、これら第１の筐体と第２の筐体５とを折畳み開閉自在に連結するヒンジ部６とを備えた折畳み式携帯電話機１において、第２の筐体５のヒンジ部側端部に第２の筐体５の長手方向外側へ向いたカメラ１０を設ける。【選択図】図１
2006311127.tif 000002
【特許請求の範囲】
【請求項１】
液晶表示部を有する第１の筐体と、操作部を有する第２の筐体と、該第１の筐体と第２の筐体とを折畳み開閉自在に連結するヒンジ部とを備えた折畳み式携帯通信機器において、
上記第２の筐体のヒンジ部側端部には、該第２の筐体の長手方向外側へ向いたカメラが設けられていることを特徴とする折畳み式携帯通信機器。
【請求項２】
請求項１に記載の折畳み式携帯通信機器において、
上記カメラは、光学ズーム機能を備えていることを特徴とする折畳み式携帯通信機器。
【請求項３】
請求項２に記載の折畳み式携帯通信機器において、
上記カメラは、レンズと、該レンズを駆動する駆動手段と、カメラ基板と、該レンズ、駆動手段及びカメラ基板を収容するカメラ用ケースとがユニット化されて構成されていることを特徴とする折畳み式携帯通信機器。
【請求項４】
請求項３に記載の折畳み式携帯通信機器において、
上記カメラ用ケースは、扁平な略直方体形状を有していることを特徴とする折畳み式携帯通信機器。
【請求項５】
請求項３又は４に記載の折畳み式携帯通信機器において、
上記第２の筐体には、該第２の筐体の長手方向に沿って操作用基板が設けられ、
上記カメラ用ケースが該操作用基板のヒンジ部側端部に設けられた凹部に固定されていることを特徴とする折畳み式携帯通信機器。
【請求項６】
請求項５に記載の折畳み式携帯通信機器において、
上記カメラ用ケースの対向する一対の側面には、レール部がそれぞれ設けられ、
上記カメラは、該レール部に上記操作用基板の凹部の対向する周縁部が当接した状態で該操作用基板の長手方向にスライド移動されて該凹部に固定されるように構成されていることを特徴とする折畳み式携帯通信機器。
【請求項７】
請求項６に記載の折畳み式携帯通信機器において、
上記カメラ用ケースのレンズと反対側から、上記カメラ基板と操作用基板とを接続するフレキシブル基板が延びていることを特徴とする折畳み式携帯通信機器。
【請求項８】
請求項１乃至７のいずれか１つに記載の折畳み式携帯通信機器において、
上記第２の筐体の操作部には、上記カメラのシャッターボタンが設けられていることを特徴とする折畳み式携帯通信機器。
【請求項９】
請求項１乃至８のいずれか１つに記載の折畳み式携帯通信機器において、
上記ヒンジ部は、第１の筐体と第２の筐体とを折畳み開閉自在に連結する水平軸と、該水平軸に対して垂直な方向に延び、上記液晶表示部を表裏反転可能に支持する垂直軸とを有していることを特徴とする折畳み式携帯通信機器。
【請求項１０】
請求項９に記載の折畳み式携帯通信機器において、
上記カメラのレンズを通話者に向けた状態で、上記第１の筐体の液晶表示部を見ながら通話可能に構成されていることを特徴とする折畳み式携帯通信機器。
【請求項１１】
請求項１０に記載の折畳み式携帯通信機器において、
上記第２の筐体の裏面には、該第２の筐体の角度を調整することで、上記カメラのレンズの角度を調整し、通話者に向けるための角度調整手段が設けられていることを特徴とする折畳み式携帯通信機器。
【発明の詳細な説明】
【技術分野】
【０００１】
本発明は、折畳み式携帯通信機器に関し、特にそのカメラの配置に関するものである。
【背景技術】
【０００２】
従来より、液晶表示部を有する第１の筐体と、操作部を有する第２の筐体と、該第１の筐体と第２の筐体とを折畳み開閉自在に連結するヒンジ部とを備え、さらにカメラ機能を有する折畳み式携帯通信機器は知られている。
【０００３】
上記カメラの配置には様々な形式があり、一般的には、カメラは、液晶表示部を有する第１の筐体の裏面側に設けられる。この形式では、第１の筐体を開いた状態で液晶表示部を見ながら、操作部に設けたシャッターボタンを押して撮影する。
【０００４】
また、カメラのレンズを通話者に向けた状態で、第１の筐体の液晶表示部を見ながら通話する、いわゆるテレビ電話機能を有するものがある。上記のような第１の筐体の裏面にカメラのレンズが配置された形式では、このテレビ電話機能を発揮させるために、第１の筐体の液晶表示部側にも、裏面側のカメラよりも精度の低い簡易なサブカメラを配置することが行われている。
【０００５】
一方、例えば、特許文献１や特許文献２に示すように、ヒンジ部にカメラを回転可能に配置し、カメラ機能とテレビ電話機能との双方を１つのカメラで対応可能としているものが知られている。
【０００６】
しかしながら、これらの折畳み式携帯通信機器では、折畳み状態の厚さの制約の問題から、カメラの奥行きを確保できず、カメラを、レンズの焦点を合わせるために奥行きを必要とする光学ズーム機能やオートフォーカス機能等を有する高精度なものとすることが困難であった。最近、折畳み式携帯通信機器におけるカメラ機能を通常のデジタルカメラと同等の性能のものにして欲しいというニーズが増えてきている。このようにカメラに光学ズーム機能等を持たせるためには、レンズと、このレンズを駆動する駆動手段とを設ける必要があり、このようなカメラは、ある程度の奥行きを必要とするという問題がある。
【０００７】
そこで、ヒンジ部が、第１の筐体と第２の筐体とを折畳み開閉自在に連結する水平軸と、この水平軸に対して垂直な方向に延び、液晶表示部を表裏反転可能に支持する垂直軸とを有している折畳み式携帯通信機器が知られている。図７に示すように、この表裏反転可能な折畳み式携帯通信機器１０１では、カメラ１１０が第２の筐体１０５の表面に膨出させた高さのあるヒンジ部１０６内に配置されているため、奥行きのある高性能なカメラ１１０でも、その配置が可能となっている。
【０００８】
このため、図８に示すように、第１の筐体１０３を開いて液晶表示部１０２をユーザの側へ向け、縦長状態にした液晶表示部１０２を見ながら操作部１０４に設けたシャッターとして機能する操作ボタン１０９を押して撮影をすることもできるし、図９に示すように、液晶表示部１０２を表裏反転させて折畳み状態とし、横長状態にした液晶表示部１０２を見ながら、第２の筐体１０５の側面に設けたシャッターボタン１０７を押して撮影することもできる。
【０００９】
上記カメラ１１０は、図１０及び図１１に示すように、第２の筐体１０５の長手方向に沿って設けられた操作用基板１１５のヒンジ部側端部に凹部１１６を設け、また、レンズ１１１と、このレンズ１１１を駆動する駆動手段と、カメラ基板１１２とを収容するカメラ用ケース１１３の両側面に係合爪１１４を設け、この係合爪１１４を凹部１１６に係合させることで、カメラ１１０を操作用基板１１５に固定している。そして、カメラ用ケース１１３のレンズ１１１と反対側からカメラ基板１１２と操作用基板１１５とを接続するフレキシブル基板１１７が延び、その端部の接続用コネクタ１１８がカメラ用ケース１１３下面と凹部１１６の底壁との間を通って操作用基板１１５の反対側（レンズ１１１側）に接続されている。
【特許文献１】特開２００２−３７４４３４号公報
【特許文献２】特開２００４−１５６７３号公報
【発明の開示】
【発明が解決しようとする課題】
【００１０】
しかしながら、上記表裏反転可能な液晶表示部１０２を備えた折畳み式携帯通信機器１０１では、カメラ１１０の奥行きが折畳み状態での携帯通信機器１０１の厚さＬを決定するため、この厚さＬを薄くすることができない。
【００１１】
また、第２の筐体１０５の側面にシャッターボタン１０７やズームボタン１０８があるので、部品点数が増える。さらにこの第２の筐体１０５の側面の厚さは限られているため、スペースが小さく、シャッターボタン１０７も小さくなって押しづらくなり、且つその他の撮影機能を操作するための複数のボタンをさらに配置することもできない。一方、シャッターボタン１０７を押しやすいものとするために突出させると、デザイン上不都合があると共に、携帯時に誤動作が生じるおそれがある。さらに、シャッターボタン１０７やズームボタン１０８を設けるために第２の筐体１０５に開口をあけることで、第２の筐体５の強度が低下する。
【００１２】
また、第２の筐体１０５の裏面にカメラ１１０のレンズ１１１が露出しているため、この部分のデザイン自由度が低下すると共に、卓上等に載置する際にレンズ１１１に傷が付きやすい。
【００１３】
また、カメラ用ケース１１３の背面から延びるフレキシブル基板１１７の接続が複雑であり、その組み付け作業が困難である。
【００１４】
さらに、上述した如く、図８に示すように、第１の筐体１０３の裏面にカメラ１１０のレンズ１１１が配置されているので、このテレビ電話機能を発揮させるためには、第１の筐体１０３の液晶表示部１０２側にも、裏面側のカメラ１１０よりも精度の低い簡易なサブカメラ１２０を配置する必要があり、部品点数が増え、質量も重くなる。
【００１５】
本発明は、かかる点に鑑みてなされたものであり、その目的とするところは、カメラの配置に工夫を加えることにより、デザイン自由度を確保しながら、操作しやすい高精度なカメラを有するコンパクトな折畳み式携帯通信機器を提供することにある。
【課題を解決するための手段】
【００１６】
上記の目的を達成するために、第１の発明では、液晶表示部を有する第１の筐体と、操作部を有する第２の筐体と、これら第１の筐体と第２の筐体とを折畳み開閉自在に連結するヒンジ部とを備えた折畳み式携帯通信機器を対象とし、
上記第２の筐体のヒンジ部側端部に、該第２の筐体の長手方向外側へ向いたカメラを設ける構成とする。
【００１７】
上記の構成によると、カメラは、第２の筐体の長手方向外側へ向いた状態で第２の筐体のヒンジ部側端部に設けられているため、奥行きのあるカメラが第２の筐体の長手方向に沿って配置される。このため、第２の筐体の裏面側にレンズが露出する場合に比べて、折畳み時の厚さが薄くなる。また、第１の筐体を開いた状態で、液晶表示部を見ながら、操作部のシャッターボタンを押してカメラの撮影が行われる。このため、第２の筐体の側面にシャッターボタンを設ける必要がない。
【００１８】
第２の発明では、上記カメラは、光学ズーム機能を備えている。また、第３の発明では、レンズと、該レンズを駆動する駆動手段と、カメラ基板と、該レンズ、駆動手段及びカメラ基板を収容するカメラ用ケースとがユニット化されて構成されている。
【００１９】
すなわち、光学ズーム機能を備えたカメラは、レンズを駆動する駆動手段として、例えば、モータやギヤを設ける必要があり、その奥行きにスペースを必要とする。しかし、本発明の構成によると、カメラは、第２の筐体の長手方向外側へ向いた状態で第２の筐体のヒンジ部側端部という奥行きに自由度のある部分に設けられているため、奥行きのあるカメラであっても折畳み時の厚さを厚くすることなく配置される。また、ユニット化されたカメラが第２の筐体に容易に組み付けられる。
【００２０】
第４の発明では、上記カメラ用ケースは、扁平な略直方体形状を有する構成とする。この構成によると、ユニット化された高性能なカメラが第２の筐体中にコンパクトに配置される。
【００２１】
第５の発明では、上記第２の筐体には、該第２の筐体の長手方向に沿って操作用基板が設けられ、上記カメラ用ケースが該操作用基板のヒンジ部側端部に設けられた凹部に固定される構成とする。
【００２２】
上記の構成によると、操作部からの入力信号を処理し、主要な機能を制御する操作用基板が第２の筐体の長手方向に沿って配置され、この操作基板のヒンジ部側の端部に設けられた凹部にユニット化されたカメラが配置される。
【００２３】
第６の発明では、上記カメラ用ケースの対向する一対の側面には、レール部がそれぞれ設けられ、上記カメラは、該レール部に上記操作用基板の凹部の対向する周縁部が当接した状態で該操作用基板の長手方向にスライド移動されて該凹部に固定される構成とする。
【００２４】
上記の構成によると、カメラ用ケースの一対の側面に設けたレール部に操作用基板の凹部の対向する周縁部を挿入するようにして、カメラが操作用基板の長手方向に沿ってスライド移動されて凹部に固定される。
【００２５】
第７の発明では、上記カメラ用ケースのレンズと反対側から、上記カメラ基板と操作用基板とを接続するフレキシブル基板が延びる構成とする。
【００２６】
上記の構成によると、レンズの対面側に配置されるカメラ基板につながるフレキシブル基板が、カメラ用ケースにおけるレンズと反対側から延び、その他端が操作用基板に接続される。このとき、カメラは、操作用基板の長手方向に沿って配置されているので、従来のように奥行きのあるレンズを操作用基板に対して垂直に設けている場合に比べ、操作用基板までストレートに配線され、その長さは短くなり、且つその接続も容易である。
【００２７】
第８の発明では、上記第２の筐体の操作部には、上記カメラのシャッターボタンが設けられている。この構成によると、第２の筐体の側面にシャッターボタンを設ける必要がなく、操作部に設けたシャッターボタンで容易に撮影が可能である。
【００２８】
第９の発明では、上記ヒンジ部は、第１の筐体と第２の筐体とを折畳み開閉自在に連結する水平軸と、該水平軸に対して垂直な方向に延び、上記液晶表示部を表裏反転可能に支持する垂直軸とを有する構成とする。
【００２９】
上記の構成によると、液晶表示部が垂直軸を中心に表裏反転可能となっているため、液晶表示部を第１の筐体の裏面側に回転させた状態で、卓上に置き、液晶表示部及びカメラのレンズを通話者に向けた状態でいわゆるテレビ電話が行える。
【００３０】
第１０の発明では、上記カメラのレンズを通話者に向けた状態で、上記第１の筐体の液晶表示部を見ながら通話可能に構成されている。この構成により、テレビ電話機能が発揮される。
【００３１】
第１１の発明では、上記第２の筐体の裏面には、該第２の筐体の角度を調整することで、上記カメラのレンズの角度を調整し、通話者に向けるための角度調整手段が設けられている。この構成によると、テレビ電話機能を使用するときに、角度調整手段を用いて第２の筐体を傾けて、カメラのレンズに通話者の顔が写るように調整される。
【発明の効果】
【００３２】
以上説明したように、上記第１の発明によれば、カメラを第２の筐体の長手方向外側へ向けた状態で第２の筐体のヒンジ部側端部に配置していることにより、カメラの奥行きが確保できるので、奥行きを必要とする光学ズーム機能やオートフォーカス機能等を有する高性能なカメラを折畳み時の厚さを厚くすることなく、配置することができる。このため、サイズダウン及び軽量化が行え、商品価値が向上する。
【００３３】
また、第２の筐体の側面にシャッターボタンを設けることなく、操作部のシャッターボタンを押してカメラの撮影をすることができる。このため、部品点数が減り、機構が簡略化されるので、質量及び製造コストが低減されると共に、第２の筐体にボタン用の開口を設ける必要がなくなるので、第２の筐体の強度が向上すると共に、その金型の構造を簡略化させることができる。また、シャッターボタンだけでなく、ズームボタン等複数の機能を操作するボタンを元々ある操作部の操作ボタンでまかなうことができる。また、第２の筐体の側面のデザイン性を向上させることができる。
【００３４】
さらに、第２の筐体の裏面側にカメラのレンズが露出していないため、第２の筐体裏面のデザイン自由度が大幅に増え、例えば、ユーザの好みに合わせてデザインを変えることができる、いわゆる着せ替え機能を持たせることができる。また、卓上等に設置されるときに、カメラのレンズが当接しないので、レンズに傷が付くのを防ぐことができる。
【００３５】
したがって、デザイン自由度を確保しながら、操作しやすい高精度なカメラを有するコンパクトな折畳み式携帯通信機器を提供することができる。
【００３６】
上記第２の発明では、カメラに奥行き方向にスペースを必要とする光学ズーム機能を設け、さらに第３の発明では、カメラをユニット化し、第２の筐体のヒンジ部側端部にカメラが長手方向外側へ向いた状態で配置している。また、上記第４の発明では、カメラ用ケースを扁平な略直方体形状としている。これらの発明によると、奥行きのあるカメラであっても、折畳み時の厚さに悪影響を与えるのを防ぐことができるので、高性能なカメラを配置して、その商品価値を高めることができる。また、ユニット化により、カメラを小型化できると共に、その取付が極めて容易となる。
【００３７】
上記第５の発明によれば、第２の筐体の長手方向に沿って設けられた操作用基板のヒンジ部側端部の凹部にカメラ用ケースを固定している。このため、第２の筐体内のスペースを有効に利用することで、全体のサイズを小さくすることができる。
【００３８】
上記第６の発明によれば、カメラ用ケースの側面に設けたレール部に操作用基板の凹部の対向する周縁部を挿入して固定している。このため、カメラ用ケースを極めて容易に操作用基板に固定できると共に、設置スペースを最小限のものとすることができる。
【００３９】
上記第７の発明によれば、操作用基板の長手方向に沿って配置したカメラのカメラケースのレンズと反対側から延びるフレキシブル基板を操作用基板に接続している。このため、操作用基板との距離が最小限に保たれるので、フレキシブル基板を短いものとすることができ、材料費、質量の低減を図ることができると共に、フレキシブル基板が他の部品と干渉しにくいので、その配置を容易に行うことができ、且つ接続が極めて容易である。
【００４０】
上記第８の発明によれば、第２の筐体の側面ではなく、第２の筐体の操作部にカメラのシャッターボタンを設けている。このため、シャッターボタンを大きな操作しやすいものとすることができると共に、他のズーム機能などのカメラ機能を操作するためのボタンを操作部の操作ボタンで共用することができるので、部品点数が減ると共に、カメラ操作を極めて容易なものとすることができる。また、操作部に多く存在する操作ボタンを活用することで、様々なカメラ機能を簡単に操作することができる。
【００４１】
上記第９の発明では、液晶表示部を垂直軸を中心に表裏反転可能とし、液晶表示部を第１の筐体の裏面側に回転させた状態で、テレビ電話を行えるようにしている。上記第１０の発明では、カメラのレンズを通話者に向けた状態で第１の筐体の液晶表示部を見ながら通話可能としている。これらの発明によると、送信画像が極めてきれいになるので、テレビ電話機能の使い勝手を格段に向上させることができる。また、液晶表示部側にテレビ電話用のカメラを別途設ける必要がなく、部品点数が減ってコスト及び質量の低減が行えると共に、第２の筐体の裏面にカメラのレンズを覗かせるための開口を設ける必要がないので、デザイン自由度を向上させることができる。
【００４２】
上記第１１の発明によれば、第２の筐体の裏面に設けた角度調整手段によってカメラのレンズを通話者の顔が写るように調整可能としている。このため、液晶画面に通話者の顔が写りやすくなるので、極めて容易にテレビ電話機能を使用することができる。
【発明を実施するための最良の形態】
【００４３】
以下、本発明の実施形態について、図に基づいて説明する。
【００４４】
−折畳み式携帯電話機の構成−
図１及び図２に示すように、本実施形態の携帯電話機１は、液晶表示部２を有する第１の筐体３と、表面に操作部４を有する第２の筐体５と、これら第１の筐体３と第２の筐体５とを折畳み開閉自在に連結するヒンジ部６とを備えている。
【００４５】
上記第２の筐体５は、携帯電話機１を閉じたときに内側となる表面に操作部４が設けられている。この操作部４には、複数の操作ボタン９が設けられている。操作部４よりも上側の表面から直方体状のヒンジ部６が膨出して形成されている。
【００４６】
上記ヒンジ部６は、第１の筐体３と第２の筐体５とを折畳み開閉自在に連結する水平軸Ｘと、この水平軸Ｘに対して垂直な方向に延び、上記液晶表示部２を表裏反転可能に支持する垂直軸Ｙとを有している。すなわち、第１の筐体３と第２の筐体５とは、上記水平軸Ｘを中心に折畳み開閉操作自在に構成され、且つ上記液晶表示部２が上記垂直軸Ｙを中心に表裏反転可能に構成されている。
【００４７】
図３及び図４にも示すように、第２の筐体５のヒンジ部６側の端部にはカメラ１０が内蔵されている。このカメラ１０は光学ズーム機能及びオートフォーカス機能等を備え、レンズ１１と、このレンズ１１を駆動する例えばモータ等の駆動手段（図示せず）と、カメラ基板１２とを有している。そして、これらレンズ１１、モータ及びカメラ基板１２がカメラ用ケース１３にユニット化された状態で収容されている。このカメラ用ケース１３は、扁平な略直方体形状を有し、その上側側壁に上記レンズ１１が設けられている。上記カメラ用ケース１３の対向する一対の左右側面には、レール部１４がそれぞれ設けられている。
【００４８】
上記第２の筐体５には、その長手方向に沿って操作用基板１５が設けられている。この操作用基板１５は、操作部４からの入力信号を受け、携帯電話機１の各種の機能を制御するものとなっている。この操作用基板１５のヒンジ部側端部には、略矩形状に切り欠かれた凹部１６が設けられている。上記カメラ１０は、レール部１４に上記操作用基板１５の凹部１６の対向する周縁部１６ａが当接した状態で操作用基板１５の長手方向（図４における上から下の方向）にスライド移動されて凹部１６に固定されている。
【００４９】
上記カメラ用ケース１３のレンズ１１と反対側から、上記カメラ基板１２と操作用基板１５とを接続するフレキシブル基板１７が延びている。このフレキシブル基板１７の先端には、接続用コネクタ１８が設けられ、この接続用コネクタ１８が操作用基板１５の裏面側に接続されている。
【００５０】
−作用−
次に、本実施形態に係る携帯電話機１の作用について説明する。
【００５１】
通常、第１の筐体３と第２の筐体５を開いた状態で縦長状態にして携帯電話機１を持ち、電話通信やメールの入力が行われる。
【００５２】
また、第１の筐体３を垂直軸Ｙを中心に反転させて閉じた状態で液晶表示部２が表れるようにして折畳み、携帯電話機１を横長状態として、ＴＶ放送を受信する。
【００５３】
一方、カメラ１０の機能を使用するときには、図５に示すように、第１の筐体３を開き、液晶表示部２を横長状態にして、又は図示しないが縦長状態にして、カメラ１０のレンズ１１を被写体に向け、操作部４のシャッターとして機能する操作ボタン９を押して撮影する。光学ズーム機能を使用するときには、操作部４の他の操作ボタン９が使用される。
【００５４】
さらに、図６に示すように、テレビ電話機能を使用するときには、液晶表示部２を第１の筐体３の裏面側に回転させた状態で、卓上に置き、カメラ１０のレンズ１１を通話者１９に向けた状態で通話者１９をカメラ１０で撮しながら、通話相手の画像を液晶表示部２で見て通話が行われる。
【００５５】
最後に、図１に示すように、電話やメール等が終わると、携帯電話機１は、第１の筐体３と第２の筐体５が水平軸Ｘを中心に回動されて閉じた状態にされ、鞄やポケットに収納される。
【００５６】
−実施形態の効果−
以上説明したように、上記実施形態によれば、カメラ１０を第２の筐体５の長手方向外側へ向けた状態で第２の筐体５のヒンジ部側端部に配置していることにより、カメラ１０の奥行きが確保できるので、奥行きを必要とする光学ズーム機能やオートフォーカス機能等を有する高性能なカメラ１０を折畳み時の厚さＬ（図１に示す）を厚くすることなく、配置することができる。このため、サイズダウン及び軽量化が行え、商品価値が向上する。
【００５７】
また、第２の筐体５の側面にシャッターボタンを設けることなく、操作部４の比較的大きな操作ボタン９を押してカメラ１０の撮影をすることができる。このため、部品点数が減り、機構が簡略化されるので、質量及び製造コストが低減される。また、第２の筐体５にボタン用の開口を設ける必要がなくなるので、第２の筐体５の強度が向上すると共に、その金型の構造を簡略化させることができる。また、シャッターボタンだけでなく、ズームボタン等複数の機能を操作するボタンを元々ある操作部４の操作ボタン９でまかなうことができる。また、第２の筐体５の側面のデザイン性を向上させることができる。
【００５８】
上記実施形態では、光学ズーム等を備えた高性能なカメラ１０のレンズ１１を通話者１９に向けた状態で第１の筐体の液晶表示部２を見ながら通話可能としている。このため、送信画像が極めてきれいになるので、テレビ電話機能の使い勝手を格段に向上させることができる。また、液晶表示部２側にテレビ電話用のカメラ１０を別途設ける必要がなく、部品点数が減ってコスト及び質量の低減が行える。また、第２の筐体５の裏面側にカメラ１０のレンズ１１が露出していないため、第２の筐体５裏面のデザイン自由度が大幅に増え、例えば、ユーザの好みに合わせてデザインを変えることができる、いわゆる着せ替え機能を持たせることができる。また、卓上等に設置されるときに、カメラ１０のレンズ１１が当接しないので、レンズ１１に傷が付くのを防ぐことができる。
【００５９】
また、光学ズーム機能を備えたカメラ１０をユニット化している。このため、ユニット化により、カメラ１０を小型化できると共に、その取付が極めて容易となる。
【００６０】
上記実施形態では、第２の筐体５の長手方向に沿って設けられた操作用基板１５のヒンジ部側端部の凹部１６にカメラ用ケース１３を固定している。このため、第２の筐体５内のスペースを有効に利用することで、全体のサイズを小さくすることができる。
【００６１】
上記実施形態では、カメラ用ケース１３の側面に設けたレール部１４に操作用基板１５の凹部１６の対向する周縁部１６ａを挿入して固定している。このため、カメラ用ケース１３を極めて容易に操作用基板１５に固定できると共に、設置スペースを最小限のものとすることができる。
【００６２】
上記実施形態では、操作用基板１５の長手方向に沿って配置したカメラ１０のカメラ用ケース１３のレンズ１１と反対側から延びるフレキシブル基板１７を操作用基板１５に接続している。このため、操作用基板１５との距離が最小限に保たれるので、フレキシブル基板１７を短いものとすることができ、材料費、質量の低減を図ることができると共に、フレキシブル基板１７が他の部品と干渉しにくいので、その配置を容易に行うことができ、且つ接続が極めて容易である。
【００６３】
したがって、デザイン自由度を確保しながら、操作しやすい高精度なカメラ１０を有するコンパクトな折畳み式の携帯電話機１を提供することができる。
【００６４】
（その他の実施形態）
本発明は、上記実施形態について、以下のような構成としてもよい。
【００６５】
すなわち、上記実施形態では、液晶表示部２を垂直軸Ｙを中心に表裏反転可能としたが、液晶表示部２は表裏反転不能で、第１の筐体３と第２の筐体５とを閉じたときに、常に内面にあるようにしてもよい。この場合には、テレビ電話機能用のサブカメラが必要となる。
【００６６】
また、第２の筐体５の裏面に第２の筐体５の角度を調整することで、上記カメラ１０のレンズ１１の角度を調整し、通話者１９に向けるための角度調整手段を設けてもよい。このことで、通話者の顔が液晶画面に写りやすくなるので、極めて容易にテレビ電話機能を使用することができる。
【産業上の利用可能性】
【００６７】
以上説明したように、本発明は、折畳み式携帯通信機器について有用である。
【図面の簡単な説明】
【００６８】
【図１】本発明の実施形態に係る携帯電話機の閉じた状態を示す側面図である。
【図２】本発明の実施形態に係る携帯電話機の開いた状態を示す斜視図である。
【図３】携帯電話機の操作用基板とカメラを示す斜視図である。
【図４】携帯電話機の操作用基板とカメラを示す側面図である。
【図５】携帯電話機のカメラで撮影する様子を示す斜視図である。
【図６】携帯電話機でテレビ電話を行う様子を示す斜視図である。
【図７】従来技術に係る携帯電話機の閉じた状態を示す側面図である。
【図８】従来技術に係る携帯電話機の開いた状態を示す側面図である。
【図９】従来技術に係る携帯電話機のカメラで撮影する様子を示す斜視図である。
【図１０】従来技術に係る携帯電話機の操作用基板とカメラを示す斜視図である。
【図１１】従来技術に係る携帯電話機の操作用基板とカメラを示す側面図である。
【符号の説明】
【００６９】
１      携帯電話機
２      液晶表示部
３      第１の筐体
４      操作部
５      第２の筐体
６      ヒンジ部
９      操作ボタン
１０      カメラ
１１      レンズ
１２      カメラ基板
１３      カメラ用ケース
１４      レール部
１５      操作用基板
１６      凹部
１６ａ    周縁部
１７      フレキシブル基板
Ｘ      水平軸
Ｙ      垂直軸
【図１】
2006311127.tif 000003
【図２】
2006311127.tif 000004
【図３】
2006311127.tif 000005
【図４】
2006311127.tif 000006
【図５】
2006311127.tif 000007
【図６】
2006311127.tif 000008
【図７】
2006311127.tif 000009
【図８】
2006311127.tif 000010
【図９】
2006311127.tif 000011
【図１０】
2006311127.tif 000012
【図１１】
2006311127.tif 000013